(57)【要約】【課題】  キッチンカウンターに設けられ、耐熱カバーとスクリーンパネルとを備えたキッチン用スクリーンであって、強固に固定されながらも、耐熱カバーとスクリーンパネルとが双方とも容易に取り外しできるキッチン用スクリーンを提供する【解決手段】  キッチンカウンターＫの調理器具Ｃ後方のバックガードＢの上に固定部材１を突設し、この固定部材１を介して、バックガードを覆う耐熱カバー２と、耐熱カバー２の上に立設されるスクリーン３とを取り付けたキッチン用スクリーンであって、スクリーン３が板状のスクリーンパネル４と、スクリーンパネル４の両側に設けられた支持柱５とを有してなり、支持柱５の下面に凹部６を設けると共に耐熱カバー２に開口７を設けて固定部材１に挿通し、支持柱５の凹部６と固定部材１とを嵌合することで耐熱カバー２を挟持している。【選択図】図５
2006334253.tif 000002
【特許請求の範囲】
【請求項１】
キッチンカウンターの調理器具後方のバックガードの上に固定部材を突設し、この固定部材を介して、バックガードを覆う耐熱カバーと、耐熱カバーの上に立設されるスクリーンとを取り付けたキッチン用スクリーンであって、スクリーンが板状のスクリーンパネルと、スクリーンパネルの両側に設けられた支持柱とを有してなり、支持柱の下面に凹部を設けると共に耐熱カバーに開口を設けて固定部材を挿通し、支持柱の凹部と固定部材とを嵌合することで耐熱カバーを挟持したことを特徴とするキッチン用スクリーン。
【請求項２】
支持柱の凹部周壁に支持柱固定孔を設け、支持柱固定孔からネジを挿入することで、スクリーンを固定したことを特徴とする請求項１記載のキッチン用スクリーン。
【請求項３】
支持柱の側面に略垂直方向にスクリーンパネルの側端を係合する係合溝を設け、係合溝を支持柱の上方に開口させたことを特徴とする請求項１又は２記載のキッチン用スクリーン。
【請求項４】
スクリーンパネルを上から抑えて固定する固定フレームを支持柱間に掛け渡して設けたことを特徴とする請求項３記載のキッチン用スクリーン。
【発明の詳細な説明】
【技術分野】
【０００１】
本願発明は、調理機器を備えたキッチンカウンターの調理機器の後方に設置され、耐熱カバーとスクリーンパネルとを備えたキッチン用スクリーンに関する。
【背景技術】
【０００２】
キッチンカウンター、特にキッチンの壁面に沿って取り付けられるいわゆるコンチネント型のキッチンカウンターにおいて、そのカウンターの後端には、カウンター上面から上方に突出したバックガードが設けられている。このバックガードのコンロ等の調理部にあたる部分は、油はねにより汚染されやすいため、カウンターを人工大理石のような樹脂で形成するときには、金属製の耐熱カバーを設けることが一般的である。
【０００３】
一方、対面式のいわゆるアイランド型キッチンカウンターにおいては、特開平５−６８６１１号公報に示されるように、キッチンカウンターの調理部やシンク部の後方にスクリーンパネルを設け、油はねや水はねが広がることを防いでいる。
【０００４】
そこで、段差のあるカウンターを備えたキッチンカウンターの調理部後方には、耐熱カバーとスクリーンの双方を設けることが好ましい。特開２００２−２０９６４９号公報には、耐熱カバーとスクリーンパネルとを備えたキッチンカウンターが開示されている。しかしながら、このキッチンカウンターにおいては、耐熱カバーは容易に着脱できるようになっているが、スクリーンパネルはカウンターに対して釘で取り付けられているために容易に着脱することはできなかった。
【特許文献１】特開２００２−２０９６４９号公報
【発明の開示】
【発明が解決しようとする課題】
【０００５】
本願発明は、上記背景技術に鑑みて発明されたものであり、その課題は、キッチンカウンターに設けられ、耐熱カバーとスクリーンパネルとを備えたキッチン用スクリーンであって、強固に固定されながらも、耐熱カバーとスクリーンパネルとが双方とも容易に取り外しできるキッチン用スクリーンを提供することである。
【課題を解決するための手段】
【０００６】
上記課題を解決するために、本願発明の請求項１に係るキッチン用スクリーンにおいては、キッチンカウンターの調理器具後方のバックガードの上に固定部材を突設し、この固定部材を介して、バックガードを覆う耐熱カバーと、耐熱カバーの上に立設されるスクリーンとを取り付けたキッチン用スクリーンであって、スクリーンが板状のスクリーンパネルと、スクリーンパネルの両側に設けられた支持柱とを有してなり、支持柱の下面に凹部を設けると共に耐熱カバーに開口を設けて固定部材を挿通し、支持柱の凹部と固定部材とを嵌合することで耐熱カバーを挟持したことを特徴とするものである。
【０００７】
又、請求項２に係るキッチン用スクリーンにおいては、支持柱の凹部周壁に支持柱固定孔を設け、支持柱固定孔からネジを挿入することで、スクリーンを固定したことを特徴とするものである。
【０００８】
又、請求項３に係るキッチン用スクリーンにおいては、支持柱の側面に略垂直方向にスクリーンパネルの側端を係合する係合溝を設け、係合溝を支持柱の上方に開口させたことを特徴とするものである。
【０００９】
又、請求項４に係るキッチン用スクリーンにおいては、スクリーンパネルを上から抑えて固定する固定フレームを支持柱間に掛け渡して設けたことを特徴とするものである。
【発明の効果】
【００１０】
本願発明の請求項１に係るキッチン用スクリーンによると、支持柱の下面に凹部を設けると共に耐熱カバーに開口を設けて固定部材に挿通し、支持柱の凹部と固定部材とを嵌合することで耐熱カバーを挟持しているため、固定部材を介して耐熱カバーとスクリーンとが一度に取り付けられ、容易に取り外しできる。
【００１１】
又、請求項２に係るキッチン用スクリーンによると、支持柱の凹部周壁に支持柱固定孔を設け、支持柱固定孔からネジを挿入することで、スクリーンを固定しているため、ネジの取り外しによりスクリーンの固定が容易に行え、なおかつスクリーンが着脱自在に固定される。
【００１２】
又、請求項３に係るキッチン用スクリーンによると、支持柱の側面に略垂直方向にスクリーンパネルを係合する係合溝を設け、係合溝を支持柱の上方に開口させているため、スクリーンが分解できるので清掃しやすく、支持柱の上方からスクリーンパネルを挿入するだけで容易に、着脱自在に取り付けることができる。
【００１３】
又、請求項４に係るキッチン用スクリーンによると、スクリーンパネルを上から抑えて固定する固定フレームを支持柱間に掛け渡しているため、スクリーンパネルが強固に固定され、スクリーンパネルに不意に上方向に力がかかっても外れにくい。
【発明を実施するための最良の形態】
【００１４】
図１〜７は、本願の請求項１〜４全てに対応した一実施形態であるキッチン用スクリーンを示している。この実施形態のキッチン用スクリーンは、図５に示す如く、キッチンカウンターＫの調理器具Ｃ後方のバックガードＢの上に固定部材１を突設し、この固定部材１を介して、バックガードＢを覆う耐熱カバー２と、耐熱カバー２の上に立設されるスクリーン３とを取り付けたキッチン用スクリーンであって、スクリーン３が板状のスクリーンパネル４と、スクリーンパネル４の両側に設けられた支持柱５とを有してなり、支持柱５の下面に凹部６を設けると共に耐熱カバー２に開口７を設けて固定部材１に挿通し、支持柱５の凹部６と固定部材１とを嵌合することで耐熱カバー２を挟持している。
【００１５】
又、支持柱５の凹部６周壁に支持柱固定孔８を設け、支持柱固定孔８からネジ９を挿入することで、スクリーン３を固定している。
【００１６】
又、支持柱５の側面に略垂直方向にスクリーンパネル４を係合する係合溝１０を設け、係合溝１０を支持柱５の上方に開口させている。
【００１７】
又、スクリーンパネル４を上から抑えて固定する固定フレーム１１を支持柱５間に掛け渡している。
【００１８】
以下、この実施形態のキッチン用スクリーンを、より具体的詳細に説明する。この実施形態のキッチン用スクリーンは、キッチンカウンターＫのカウンター後端が上に立ち上がったバックガードＢを備え、そのバックガードＢの調理器具Ｃに対応した部分に取り付けられる耐熱カバー２と、耐熱カバー２の上に立設されるスクリーン３と、バックガードＢから突出し耐熱カバー２とスクリーン３とを固定する固定部材１を備えてなっている。
【００１９】
耐熱カバー２は、アルミなどの腐食に強い金属製であり、略水平で板状の水平片２ａと、水平片２ａの前縁から略垂下に突出した垂直片２ｂとからなる断面略逆Ｌ字の長尺形状のものである。この耐熱カバー２の長さは、カウンターに設けられるコンロやＩＨヒーターなどの調理器具Ｃの幅よりも長く設定されており、又、垂直片２ｂの高さは、バックガードＢの高さに略一致している。又、水平片２ａの両側端は下に折れ曲がった垂直部を有しており、後ろ両隅にはそれぞれ、略円形の貫通孔が開口７として設けられている。
【００２０】
スクリーン３は、ガラス製、金属製もしくは樹脂製の板状のスクリーンパネル４と、金属性、もしくは樹脂製でスクリーンパネル４の両側面に設けられる支持柱５とからなっている。支持柱５は、上下に開口した略筒状であり、従って、下方が凹部６となっている。又、その周壁には、垂直方向に断面略コ字型の係合溝１０が設けられている。この係合溝１０は少なくとも支持柱５の上方に開口しており、この場合には下方にも開口している。又、支持柱５には、その下方、つまり凹部６の周壁には支持柱固定孔８が設けられると共にその上端部分の側壁にはスクリーンパネル固定孔１２が設けられている。この場合、図４に示す如く、支持柱固定孔８及びスクリーンパネル固定孔１２は、支持柱５が取り付けられたとき、キッチンカウンターＫの前後方向になるように設けられている。又、支持柱固定孔８はそれぞれの支持柱５の前後に１つずつ設けられ、スクリーンパネル固定孔１２は後ろに１つ設けられている。
【００２１】
固定部材１は、金属製もしくは樹脂製で、図６に示すごとく、略円盤状の底板１３から、略筒型の固定部材側片１４が立設されている。又、底板１３は、固定部材側片１４よりも外側に突出している。この固定部材側片１４には、支持柱５の係合溝１０に対応した固定部材凹部１５と、支持柱固定孔８に対応した支持柱被固定孔１６が設けられており、底板１３の固定部材側片１４内部には、釘体２６を挿入するための固定部材固定孔１７が複数個設けられ、この場合３つ設けられている。又、底板１３の固定部材凹部１５の開口側には、スクリーンパネル４を支持する支持片１８が突出して設けられている。この支持片１８は、略円錐台形状である。
【００２２】
又、スクリーンパネル４の上方には、金属製もしくは樹脂製の断面略コ字型で長尺形状の固定フレーム１１が設けられている。固定フレーム１１の両端は、垂下に折れ曲がっており、フレームのコ字方の側片の両端には、固定フレーム切り欠き１９が設けられている。
【００２３】
又、支持柱５の上端の開口には、蓋２０が設けられており、この蓋２０は、図７に示すごとく、略円盤状の天井板２１に略筒状の蓋側片２２が垂下に突設されている。この蓋２０には、固定フレーム１１の厚みにあわせた蓋切り欠き２３と、その側壁にスクリーンパネル固定孔１２に対応したスクリーンパネル被固定孔２４が設けられている。
【００２４】
続いて、このキッチン用スクリーンの取り付け方とその構造について説明する。
【００２５】
まず、キッチンカウンターＫのバックガードＢに、固定部材１をパッキン２５を介して取り付ける。このとき、ビスや釘などの釘体２６を、固定部材固定孔１７から挿入することで固定する。この場合、この固定部材１は、キッチンカウンターＫの長手方向に沿って、２つ設けている。この固定部材１に、耐熱カバー２の開口７を挿通させる。従って、耐熱カバー２の開口７は、固定部材１の周壁よりも一回り大きく設けられおり、この場合、固定部材１の周壁と共に支持片１８も挿通されるように、開口７のパネル側、すなわち支持柱５が取り付けられたときの係合溝１０の開口側に略半円形の支持片貫通部２７が設けられている。
【００２６】
続いて、固定部材１に支持柱５の凹部６を挿入し、互いに嵌合させる。そして、支持柱固定孔８から支持柱被固定孔１６にネジ９を挿入し、支持柱５を固定する。その後、スクリーンパネル４を支持柱５の係合溝１０に沿って上方から挿入する。このとき、スクリーンパネル４は、固定部材１の支持片１８に当接され、耐熱カバー２との間には空間ができている。そして、スクリーンパネル４の上方から固定フレーム１１をはめ込む。このとき、固定フレーム１１は支持柱５の上端を掛け渡して取り付けられており、その両端は支持柱５の内側面の係合溝１０裏側に係止されている。又、固定フレーム１１に設けられた固定フレーム切り欠き１９により、支持柱５の係合溝１０部分が嵌合されている。最後に、支持柱５の上方から蓋２０を挿入し、        スクリーンパネル固定孔１２からネジ９を挿入することで固定する。このとき、スクリーンパネル固定孔１２から挿入されたネジ９は、スクリーンパネル被固定孔２４に係止され、蓋２０が固定される。これにより、固定フレーム１１及びスクリーンパネル４が固定される。又、蓋２０に設けた蓋切り欠き２３により、スクリーンパネル４及び固定フレーム１１の端部が嵌合されている。
【００２７】
なお、このキッチン用パネルを設けるキッチンカウンターＫとしては、図１に示すようなバックガードＢを備えたコンチネント型キッチンカウンターでも、図２に示すような、カウンターに段差を有するアイランド型キッチンカウンターのどちらでもよい。
【００２８】
従って、この実施形態のキッチン用スクリーンにおいては、支持柱５の下面に凹部６を設けると共に耐熱カバー２に開口７を設けて固定部材１に挿通し、支持柱５の凹部６と固定部材１とを嵌合することで耐熱カバー２を挟持しているため、固定部材１を介して耐熱カバー２とスクリーン３とが一度に取り付けられる。つまり、耐熱カバー２でバックガードＢが油はねなどで劣化することを防止すると共にスクリーン３で調理器具Ｃの後方まで油はねが広がることを防ぐことができる。バックガードＢを油はねから守ることは、特にカウンターが樹脂製であるときには重要であり、又、スクリーン３により油はねの拡散を抑えることは、アイランド型のオープンキッチンには重要なことである。このことから、カウンターに段差を有するアイランド型キッチンにおいては、このキッチン用スクリーンは非常に適している。
【００２９】
又、支持柱５と固定部材１との嵌合を解除するだけで、耐熱カバー２とスクリーン３とは外せるようになっている。すなわち、耐熱カバー２及びスクリーン３は、着脱自在に取り付けられている。このことは、このキッチン用スクリーンが調理器具Ｃの後方に設けられ、調理に用いる食材、油や調味料などで汚れてしまうために、こまめな洗浄が必要なことを考えると、非常に都合が良い。
【００３０】
又、支持柱５の凹部６周壁に支持柱固定孔８を設け、支持柱固定孔８からネジ９を挿入することで、スクリーン３を固定しているため、ネジ９の取り外しによりスクリーン３の固定が容易に行え、なおかつスクリーン３が着脱自在に固定される。すなわち、ネジ９を設けることで、耐熱カバー２及びスクリーン３を着脱自在に取り付けながらも、キッチン用スクリーンの使用時にはしっかりと固定されているため、安全に調理を行うことができる。
【００３１】
又、この支持柱固定孔８をキッチンカウンターＫの前後側に設け、ネジ９を挿入している。キッチンカウンターＫは、その前後方向からの作業がしやすいために、これによりスクリーン３の取り付けが容易になる。それに加え、スクリーン３の側面にネジ９などの突起がないため、キッチンカウンターＫの前後方向の作業、例えば調理器具Ｃで調理した料理をカウンターの後ろ側に運んだりする際、料理皿が突起に引っかかることがなく、又、それによって不意にネジ９がゆるむことがない。
【００３２】
又、支持柱５の側面に略垂直方向にスクリーンパネル４を係合する係合溝１０を設け、係合溝１０を支持柱５の上方に開口７させているため、支持柱５とスクリーンパネル４とが分解でき、洗浄しやすくなる。又、支持柱５の上方からスクリーンパネル４を挿入するだけで容易に、着脱自在に取り付けることができる。これにより、スクリーンパネル４のみを容易に洗浄、掃除できるようになる。
【００３３】
又、支持柱５が円筒形で、中空であるため、成形しやすく、軽量なものとなる。又、略円筒形であるため、スクリーン３の側面に物が引っかかりにくく、キッチンカウンターＫの両側から作業しやすい。更に、支持柱５の係合溝１０に合わせて、固定部材１に固定部材凹部１５を設けているため、支持柱５が略円筒形であるにもかかわらず、固定部材１に対して一義的に嵌合され、係合溝１０がスクリーンパネル４側に向くようになっている。
【００３４】
又、固定部材１に支持片１８を設け、スクリーンパネル４を当接させているため、スクリーンパネル４下端面と耐熱カバー２との間に隙間ができる。従って、スクリーンパネル４の加工精度が多少悪くても、スクリーンパネル４が見栄えよく取り付けられる。それに加え、スクリーンパネル４が耐熱カバー２に当接されることがないので、耐熱カバー２とスクリーンパネル４とが接触して互いに傷つくこともなく、又、スクリーンパネル４を係合溝１０に挿入する際、不意にスクリーンパネル４を落としてしまっても、割れにくい。
【００３５】
又、スクリーンパネル４を上から抑えて固定する固定フレーム１１を支持柱５間に掛け渡しているため、スクリーンパネル４が強固に固定され、スクリーンパネル４に不意に上方向に力がかかっても外れにくい。又、この固定フレーム１１の上から蓋２０を設けるので、スクリーンパネル４が更に強固に固定される。
【００３６】
又、この固定部材１は、その固定部材１側片が支持柱５と嵌合されると共に底板１３の上方に耐熱カバー２が覆われるため、取り付け後には外から全く見えなくなり、見栄えよく仕上がる。これは、固定部材１に外部からの汚れがつきにくいことを意味し、外から見える部分、耐熱カバー２及びスクリーン３は取り外し可能で洗浄できるため、キッチン用スクリーン全体を清潔に保つことができる。
【００３７】
又、固定フレーム１１の両端に固定フレーム切り欠き１９を設けているため、支持柱５の上端に係合溝１０をきれいによけて嵌合され、見栄えよく仕上がる。又、蓋２０に蓋２０きり欠きを設けているため、固定フレーム１１に沿ってきれいに嵌合され、見栄えが良くなると共に強固に固定される。
【００３８】
なお、この実施形態においては、固定部材１をバックガードＢに別部材として取り付けているが、固定部材１をバックガードＢから一体に成形しても良い。又、支持柱５とスクリーンパネル４とを一体に形成してもよい。
【図面の簡単な説明】
【００３９】
【図１】本願発明の一実施形態であるキッチン用スクリーンをコンチネント型キッチンカウンターに取り付けたときの斜視図。
【図２】同キッチン用スクリーンをアイランド型キッチンカウンターに取り付けたときの斜視図
【図３】同キッチン用スクリーンを示す斜視図。
【図４】同キッチン用スクリーンを示す、（ａ）は平面図、（ｂ）は正面図、（ｃ）は側面図。
【図５】同キッチン用スクリーンを示す分解斜視図。
【図６】同キッチン用スクリーンの固定部材を示す（ａ）は斜視図、（ｂ）は平面図。
【図７】同キッチン用スクリーンの蓋を示す（ａ）は斜視図、（ｂ）は平面図。
【符号の説明】
【００４０】
１    固定部材
２    耐熱カバー
２ａ  水平片
２ｂ  垂直片
３    スクリーン
４    スクリーンパネル
５    支持柱
６    凹部
７    開口
８    支持柱固定孔
９    ネジ
１０    係合溝
１１    固定フレーム
１２    スクリーンパネル固定孔
１３    底板
１４    固定部材側片
１５    固定部材凹部
１６    支持柱被固定孔
１７    固定部材固定孔
１８    支持片
１９    固定フレーム切り欠き
２０    蓋
２１    天井板
２２    蓋側片
２３    蓋切り欠き
２４    スクリーンパネル被固定孔
２５    パッキン
２６    釘体
２７    支持片貫通部
Ｋ    キッチンカウンター
Ｃ    調理器具
Ｂ    バックガード
【図１】
2006334253.tif 000003
【図２】
2006334253.tif 000004
【図３】
2006334253.tif 000005
【図４】
2006334253.tif 000006
【図５】
2006334253.tif 000007
【図６】
2006334253.tif 000008
【図７】
2006334253.tif 000009